(57)【要約】【課題】店舗外の天候を容易に記録することを可能とする。【解決手段】店舗システム１は、屋外カメラ２０、ストアサーバ３０を有する。屋外カメラ２０は、店舗外を撮像する。ストアサーバ３０は、所定の時刻に屋外カメラ２０が撮像した画像を取得し、取得した画像をもとに、店舗外の天候を判定し、その時刻を示す情報に対応付けて、判定された天候を記録する。【選択図】図１
2012052930.tif 000002
【特許請求の範囲】
【請求項１】
店舗外を撮像する撮像装置と、
所定の時刻に前記撮像装置が撮像した画像を取得する画像取得手段、
取得した前記画像をもとに、店舗外の天候を判定する判定手段、
前記時刻を示す情報に対応付けて、判定された前記天候を記録する記録手段を備えるサーバ装置と、
を有することを特徴とする店舗システム。
【請求項２】
前記判定手段は、前記画像に含まれる空部分及び地面部分にかかる、明度及び色をもとに天候を判定すること、
を特徴とする請求項１に記載の店舗システム。
【請求項３】
前記判定手段は、前記画像に筋状の画像が含まれる場合に、前記天候が雨又は雪であると判定すること、
を特徴とする請求項１又は２に記載の店舗システム。
【請求項４】
前記記録された天候を表示する表示装置を更に備え、
前記記録手段は、前記天候を判定した画像をさらに記録し、
前記表示装置は、記録された前記天候とともに当該天候を判定した画像を表示すること、
を特徴とする請求項１乃至３のいずれか一項に記載の店舗システム。
【請求項５】
前記記録された天候を表示する表示装置と、
時刻ごとの店舗の売上を示す売上情報を記録する売上記録手段とを更に備え、
前記表示装置は、記録された前記天候とともに当該天候を判定した時刻にかかる前記売上情報を表示すること、
を特徴とする請求項１乃至３のいずれか一項に記載の店舗システム。
【請求項６】
店舗外を撮像する撮像装置が所定の時刻に撮像した画像を取得する画像取得手段と、
取得した前記画像をもとに、店舗外の天候を判定する判定手段と、
前記時刻を示す情報に対応付けて、判定された前記天候を記録する記録手段と、
を備えることを特徴とする情報処理装置。
【発明の詳細な説明】
【技術分野】
【０００１】
本発明の実施形態は、店舗システム及び情報処理装置に関する。
【背景技術】
【０００２】
従来、大型ショッピングモールなどの店舗では、現在の天候などの屋外の状況を店舗内から容易に分かるようにするため、屋外に設置されたカメラの映像をＰＯＳ（Point  Of  Sale）端末に表示する店舗システムを用いるところがある。
【発明の概要】
【発明が解決しようとする課題】
【０００３】
しかしながら、上述した従来技術では、屋外に設置されたカメラの映像から店舗外の現在の天候を知らしめることはできても、店舗外の天候を記録することはできなかった。例えば、店舗外の天候は売上に大きく影響することがあり、店舗外の天候を記録して活用できれば、経営方針を決める際に大いに参考になる。ところが、近年の天候は局所的な雷雨などが多発していることが示すように、ピンポイントで天候が大きく変化する場合がある。このため、インターネット上の検索サービスやニュースサイトなどでは店舗が存在するピンポイントの天候に関する情報が得られないため、店員が外の様子を観察して天候を記録しており、不便であった。
【課題を解決するための手段】
【０００４】
上述した課題を解決するために、本発明の実施形態は、店舗外を撮像する撮像装置と、サーバ装置とを有することを特徴とする店舗システムである。サーバ装置は、画像取得手段、判定手段、記録手段を備える。画像取得手段は、所定の時刻に撮像装置が撮像した画像を取得する。判定手段は、取得した画像をもとに、店舗外の天候を判定する。記録手段は、時刻を示す情報に対応付けて、判定された天候を記録する。
【０００５】
また、本発明の実施形態は、画像取得手段と、判定手段と、記録手段とを備えることを特徴とする情報処理装置である。画像取得手段は、店舗外を撮像する撮像装置が所定の時刻に撮像した画像を取得する。判定手段は、取得した画像をもとに、店舗外の天候を判定する。記録手段は、時刻を示す情報に対応付けて、判定された天候を記録する。
【図面の簡単な説明】
【０００６】
【図１】図１は、店舗システムの構成を示すブロック図である。
【図２】図２は、店舗の外観を示す外観斜視図である。
【図３】図３は、屋外カメラが撮像した画像の一例を示す図である。
【図４】図４は、ストアサーバのハードウエア構成の一例を示すブロック図である。
【図５】図５は、天候情報のデータ構成を例示する概念図である。
【図６】図６は、売上情報のデータ構成を例示する概念図である。
【図７】図７は、ストアサーバの動作の一例を示すフローチャートである。
【図８】図８は、表示部の表示例を示す概念図である。
【図９】図９は、表示部の表示例を示す概念図である。
【発明を実施するための形態】
【０００７】
以下に添付図面を参照して、本実施形態にかかる店舗システム及び情報処理装置の詳細を説明する。なお、本実施形態においては、大型ショッピングモールやコンビニエンスストアなどの店舗において設置される、ＰＯＳ端末やストアサーバなどから構成されるシステムに適用する場合を例示して説明する。
【０００８】
図１は、店舗システム１の構成を示すブロック図である。図１に示すように、店舗システム１は、ＰＯＳ端末１０、屋外カメラ２０、ストアサーバ３０及びプリンタサーバ４０を備える。ＰＯＳ端末１０、屋外カメラ２０、ストアサーバ３０及びプリンタサーバ４０は、有線又は無線のＬＡＮ（Local  Area  Network）などである通信ネットワークＮＴを介して互いに通信可能に接続される。ＰＯＳ端末１０は、顧客がカウンタ（図示しない）などに持ち込んだ商品の登録及び精算を行う。屋外カメラ２０は、店舗の屋外に設置され、店舗外を撮像するデジタルカメラである。屋外カメラ２０は、所定のフレームレートで撮像を行い、撮像したフレーム画像を通信ネットワークＮＴにブロードキャストする。これにより、通信ネットワークＮＴを介して接続する機器（例えばＰＯＳ端末１０や屋外カメラ２０）では、ブロードキャストされた店舗外の画像を取得できる。
【０００９】
図２は、店舗１００の外観を示す外観斜視図である。図２に示すように、屋外カメラ２０は、店舗１００の軒下などにおいて、店舗１００の外に向けて設置される。図３は、屋外カメラ２０が撮像した画像Ｇの一例を示す図である。図３に示すように、屋外カメラ２０からは、店舗１００の外の状況を示す画像Ｇがブロードキャストされる。画像Ｇは、後述する天候判定において必要な店舗外の空と地面とを含む画像であればよく、魚眼レンズなどで撮像された超広角の画像であってもよい。本実施形態では、店舗１００の外に設置された屋外カメラ２０により店舗外の画像Ｇを撮像する構成を例示した。しかしながら、画像Ｇと同様な店舗外の状況を示す画像を撮像可能であれば、店舗の中にデジタルカメラを設置する構成であってよい。
【００１０】
図１に戻り、ストアサーバ３０は、ＰＯＳ端末１０の上位機として機能するサーバ装置であり、ＰＯＳ端末１０により登録されて精算された商品の売上データなどを通信ネットワークＮＴを介してＰＯＳ端末１０より取得し、店舗の売上として売上情報３６３（図４参照）に記録する。また、ストアサーバ３０は、屋外カメラ２０が通信ネットワークＮＴにブロードキャストする店舗外の画像を取得し、その取得した画像をもとに店舗外の天候を判定して記録する（詳細は後述する）。プリンタサーバ４０は、各種帳票を印刷するためのプリンタ５０を制御するサーバ装置である。
【００１１】
次に、ストアサーバ３０の詳細について図４を参照して説明する。図４は、ストアサーバ３０のハードウエア構成の一例を示すブロック図である。
【００１２】
図４に示すように、ストアサーバ３０は、ＣＰＵ３１（Central  Processing  Unit）、ＲＯＭ３２（Read  Only  Memory）、ＲＡＭ３３（Random  Access  Memory）、操作部３４、表示部３５、ＨＤＤ３６（Hard  Disk  Drive）及び通信部３７を備える。上記各部はバス３８により互いに接続される。
【００１３】
ＣＰＵ３１は、ストアサーバ３０の動作を中央制御する。具体的には、ＣＰＵ３１は、ＲＯＭ３２やＨＤＤ３６などに記憶されたプログラムをＲＡＭ３３の作業領域に展開して順次実行し、バス３８を介して接続する各部に制御信号を出力する。ＲＯＭ３２は、ＣＰＵ３１が実行するプログラムや各種設定データなどを記憶する。ＲＡＭ３３は、ＣＰＵ３１がプログラムを実行する際に作業領域を提供する。なお、ＣＰＵ３１は、ＲＴＣ（Real  Time  Clock）機能を有しており、例えばＲＴＣ機能により計時された時刻に応じた処理を実行する。
【００１４】
操作部３４は、キーボード及びマウスなどのポインティングデバイスなどである。操作部３４は、ユーザの操作を受け付けてその操作に応じた信号をＣＰＵ３１に出力する。表示部３５は、ＬＣＤ（Liquid  Crystal  Display）などの表示装置であり、ＣＰＵ３１から出力される信号に応じた画面表示を行う。ＨＤＤ３６は、いわゆる大容量記憶装置であり、ＣＰＵ３１が実行するプログラムの他、店舗１００にかかる各種業務データを記憶する。具体的には、ＨＤＤ３６は、天候情報３６１、画像データ３６２、売上情報３６３などを記憶する。通信部３７は、通信ネットワークＮＴと接続するための通信インタフェースである。
【００１５】
天候情報３６１は、屋外カメラ２０が撮像し、通信ネットワークＮＴにブロードキャストされた店舗外の画像をもとに判定した天候を記録するデータファイルなどである。図５は、天候情報３６１のデータ構成を例示する概念図である。図５に示すように、天候情報３６１は、通信ネットワークＮＴにブロードキャストされた店舗外の画像を取得して天候の判定を行った日時、判定した天候、判定に用いた画像データを特定する情報（ファイル名など）を記録している。
【００１６】
画像データ３６２は、屋外カメラ２０が撮像し、通信ネットワークＮＴにブロードキャストされた店舗外の画像において、天候の判定を行った画像のデータである。具体的には、通信ネットワークＮＴにブロードキャストされた店舗外のフレーム画像の中で、天候の判定を行ったフレーム画像を、ＪＰＥＧ（Joint  Photographic  Experts  Group）形式などの静止画像ファイルに変換したデータである。
【００１７】
売上記録手段としての売上情報３６３は、店舗の売上を記録するデータファイルなどである。図６は、売上情報３６３のデータ構成を例示する概念図である。図６に示すように、売上情報３６３は、日時に記録された時刻ごとに、その時刻を含む時間帯でＰＯＳ端末１０により取得された売上データ（売上額）を記録する。例えば、図示例では、９：００、１０：００…の１時間ごとの売上額が売上情報３６３に記録されている。
【００１８】
ここで、ＣＰＵ３１がプログラムを順次実行することで実現されるストアサーバ３０の機能部について説明する。図４に示すように、ＣＰＵ３１は、プログラムを順次実行することにより、画像取得部３１１、天候判定部３１２、天候記録部３１３、表示制御部３１４としての機能を備える。
【００１９】
画像取得部３１１は、ＲＯＭなどに予め設定されている所定の時刻に通信ネットワークＮＴにブロードキャストされている店舗外の画像を、通信部３７より取得する。なお、画像取得部３１１が店舗外の画像を取得する時刻は、例えば１時間おきに設定されてよい。この場合は、９：００、１０：００…などのように、１時間おきに店舗外の画像が取得されることとなる。
【００２０】
天候判定部３１２は、画像取得部３１１が取得した店舗外の画像をもとに、店舗外の天候を判定する。具体的には、店舗外の画像に含まれる空部分や地面部分の明度、色合いをもとに晴れ又は曇りの判定を行う。例えば、空部分の色合いが青より白が強く、地面部分が暗く、予め設定された明るさ以下である場合は、店舗外の天候は曇りであると判定する。また、空部分の色合いが白より青より強く、地面部分が照り返しなどにより明るく、予め設定された明るさ以上である場合は、店舗外の天候は晴れであると判定する。なお、店舗外の画像に含まれる空部分や地面部分については、画像の上半分又は下半分などのように、予めＲＯＭなどに設定されているものとする。
【００２１】
また、天候判定部３１２は、曇りであると判定した場合には、店舗外の画像に筋状の画像が含まれるか否かをもとに、雨又は雪の判定を行う。例えば、店舗外の画像に筋状に光る画像が含まれる場合には、雨滴や雪の結晶が落下しているものとして、店舗外の天候は雨又は雪であると判定する。なお、天候判定部３１２は、筋状に光る画像の太さや長さをもとに、雨又は雪のいずれであるかを判定してもよい。例えば、筋状に光る画像が太く、長さが短い場合には、粒子幅が大きく落下速度の遅い雪の結晶であることから、雪であると判定する。また、筋状に光る画像が細く、長さが長い場合には、粒子幅が小さく落下速度の早い雨滴であることから、雨であると判定する。
【００２２】
記録手段としての天候記録部３１３は、所定の時刻に画像取得部３１１より取得された店舗外の画像から天候判定部３１２が判定した天候を、その時刻を示す情報に対応付けて天候情報３６１に記録する。具体的には、図５に示すように、××××年××月××日の９：００に画像取得部３１１より取得された店舗外の画像から天候判定部３１２が判定した「曇り」が、その時刻に対応したセルに記録される。また、天候記録部３１３は、その時の店舗外の画像として画像データ３６２に記録された静止画像の画像ファイル名を天候情報３６１に記録する。
【００２３】
表示制御部３１４は、表示部３５の表示を制御する。具体的には、操作部３４によりＨＤＤ３６に記録した天候情報３６１の表示が指示された場合は、天候情報３６１を読みだして、表示部３５への表示を行う。例えば、操作部３４により時間帯などの指定が行われた場合は、天候情報３６１における日時を参照することで、その指定された時間帯にかかるデータが読み出されて表示される。
【００２４】
次に、ストアサーバ３０の動作について詳細に説明する。図７は、ストアサーバ３０の動作の一例を示すフローチャートである。
【００２５】
図７に示すように、処理が開始されると、画像取得部３１１は、現在の時刻が予め設定された所定の時刻である否かを判定する（Ｓ１）。所定の時刻でない場合（Ｓ１：ＮＯ）は、Ｓ９へ処理を進める。所定の時刻である場合（Ｓ１：ＹＥＳ）、画像取得部３１１は、通信ネットワークＮＴにブロードキャストされている屋外カメラ２０の画像を通信部３７を介して取得する（Ｓ２）。
【００２６】
次いで、天候判定部３１２は、画像取得部３１１が取得した屋外カメラ２０の画像から空、地面部分の明度、色合いを取得する（Ｓ３）。具体的には、取得した画像の上半分から空の明度及び色合いを取得し、下半分から地面の明度、色合いを取得する。次いで、天候判定部３１２は、上述したとおり、画像に含まれる空部分や地面部分の明度、色合いを基に晴れ又は曇りの判定を行う（Ｓ４）。
【００２７】
次いで、天候判定部３１２は、Ｓ４において曇りと判定したか否かを判定する（Ｓ５）。曇りと判定していない場合（Ｓ５：ＮＯ）、すなわち、晴れと判定した場合には、Ｓ８へ処理を進める。
【００２８】
曇りと判定した場合（Ｓ５：ＹＥＳ）、天候判定部３１２は、取得した屋外カメラ２０の画像に筋状に光る画像が含まれるか否かを判定する（Ｓ６）。筋状に光る画像が含まれない場合（Ｓ６：ＮＯ）は、Ｓ８へ処理を進める。筋状に光る画像が含まれる場合（Ｓ６：ＹＥＳ）は、上述したとおり、筋状に光る画像の太さや長さをもとに、雨又は雪のいずれであるかを判定する（Ｓ７）。
【００２９】
Ｓ８において、天候記録部３１３は、所定の時刻に取得された屋外カメラ２０の画像から天候判定部３１２がＳ４又はＳ７で判定した天候を、その時刻を示す情報に対応付けて天候情報３６１に記録し、Ｓ９へ処理を進める。
【００３０】
Ｓ９において、表示制御部３１４は、記録した天候情報３６１の、操作部３４による表示指示があるか否かを判定する。表示指示がない場合（Ｓ９：ＮＯ）はＳ１１へ処理を進める。表示指示がある場合（Ｓ９：ＹＥＳ）、表示制御部３１４は、天候情報３６１を読みだして表示部３５への表示を行い（Ｓ１０）、Ｓ１１へ処理を進める。
【００３１】
図８、図９は、表示部３５の表示例を示す概念図である。図８に示すように、Ｓ１０において、表示部３５には、天候情報３６１より読み出された時刻、その時刻に屋外カメラ２０より取得した画像から判定した天候、及び天候情報３６１の画像データの項目をもとに読み出された画像データ３６２がその時の屋外カメラ２０の映像として表示される。このため、ユーザ（店員）は、記録された天候を、その時の屋外カメラの映像と合わせて確認できる。
【００３２】
図９に示すように、Ｓ１０において、表示部３５には、天候情報３６１より読み出された時刻、及びその時刻に屋外カメラ２０より取得した画像から判定した天候の他、時刻をもとに売上情報３６３を参照して取得した売上額などの売上情報を表示してもよい。この場合、店員は、記録された天候とともに、その時の売上を確認することができ、天候に対応した経営方針を決める際の参考とすることができる。
【００３３】
Ｓ１１において、ＣＰＵ３１は、操作部３４の終了操作などによる処理の終了の有無を判定する。終了操作が行われず、処理を継続する場合（Ｓ１１：ＮＯ）、ＣＰＵ３１はＳ１へ処理を戻す。終了操作が行われた場合（Ｓ１１：ＹＥＳ）、ＣＰＵ３１は処理を終了する。
【００３４】
本実施形態のストアサーバ３０で実行されるプログラムは、ＲＯＭ等に予め組み込まれて提供される。本実施形態のストアサーバ３０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００３５】
さらに、本実施形態のストアサーバ３０で実行されるプログラムを、インターネット等のネットワークに接続されたコンピュータ上に格納し、ネットワーク経由でダウンロードさせることにより提供するように構成しても良い。また、本実施形態のストアサーバ３０で実行されるプログラムをインターネット等のネットワーク経由で提供または配布するように構成しても良い。
【００３６】
本実施形態のストアサーバ３０で実行されるプログラムは、上述した各部（画像取得部３１１、天候判定部３１２、天候記録部３１３、表示制御部３１４）を含むモジュール構成となっており、実際のハードウェアとしてはＣＰＵ（プロセッサ）が上記ＲＯＭからプログラムを読み出して実行することにより上記各部が主記憶装置上にロードされ、画像取得部３１１、天候判定部３１２、天候記録部３１３、表示制御部３１４が主記憶装置上に生成されるようになっている。
【符号の説明】
【００３７】
１  店舗システム
１０  ＰＯＳ端末
２０  屋外カメラ
３０  ストアサーバ
３１  ＣＰＵ
３２  ＲＯＭ
３３  ＲＡＭ
３４  操作部
３５  表示部
３６  ＨＤＤ
３１１  画像取得部
３１２  天候判定部
３１３  天候記録部
３１４  表示制御部
３６１  天候情報
３６２  画像データ
３６３  売上情報
Ｇ  画像
ＮＴ  通信ネットワーク
【先行技術文献】
【特許文献】
【００３８】
【特許文献１】特開平５−２６６３４９公報
【図１】
2012052930.tif 000003
【図２】
2012052930.tif 000004
【図３】
2012052930.tif 000005
【図４】
2012052930.tif 000006
【図５】
2012052930.tif 000007
【図６】
2012052930.tif 000008
【図７】
2012052930.tif 000009
【図８】
2012052930.tif 000010
【図９】
2012052930.tif 000011